(57)【要約】      （修正有）【課題】入力制限手段に白熱灯を用いる軽量蛍光灯に於いて、各種性能を低下することなく、益々、単純化と軽量化を推進することで、その特色を際立たせる。【解決手段】３２Ｗ．型蛍光管１では接続ピンからではなく、灯具にダイオードとコンデンサーから成る蓄電ユニット１０を設け、「環６」と「輪環７」に、直流蓄電電圧を印加する。又、主回路にサーミスタを挿入することによって点灯の確実性を増し「管端の黒ずみ」を予防する。【効果】特に、３２Ｗ．型蛍光管は従来、交流１００Ｖ．のままでの点灯は無理と考えられていたが、蓄電ユニット、環、輪環と共に、サーミスターを主回路に挿入した効果として、点灯可能となった。灯具は益々簡潔になった上、「陽極スモッグ現象」が解決した。【選択図】図１
0003136479.tif 000002
【実用新案登録請求の範囲】
【請求項１】
蛍光管に並列に、ダイオート（Ｄ）とコンデンサー（Ｃ）を直列にした、ユニット（１０）を設け、その接続点（Ｐ）と、蛍光管中央部に設けた点灯促進用の環（６）の接続部とを、環に対し着脱自在に、電気的に接続し得るようにした軽量蛍光灯具。
【考案の詳細な説明】
【考案の詳細な説明】
【技術分野】
【０００１】  民生用照明灯
【背景技術】
【０００２】  安定器と称する重い電磁コイルの代わりに白熱電球を入力制限手段として用いた「軽量蛍光灯」は、「特開２００６−１７３０７６」として公知である。
その明細書には本案の点灯促進用「環」と類似な「点弧誘引電極」についての記述と、「図４」に、３２Ｗ．型蛍光管の実施例の回路図があるが、「点弧誘引電極」には別置の倍電圧回路により直流高電圧を印加する構成となっている。更に現行電源電圧では、３２Ｗ．型管の定常点灯電圧の確保が難しいとして、整流回路により、１００Ｖ．交流を実効電圧１１５Ｖ．位の脈直流に変換して給電している。
「点灯促進用の環を有する蛍光管」は平成１９年４月２０日提出の先願事項である。
従来型灯具では、安定器として単巻変圧器を内蔵せしめ、例えば３２Ｗ．型では１５０Ｖ．、４０Ｗ．型では２００Ｖ．程度に、昇圧して給電していたと言う事実が有った。
【考案が解決しようとする課題】
【０００３】  先願の、「点灯促進用の環を有する蛍光管」によって、３０Ｗ．型以下の蛍光管は全て、インダクタンス皆無の「ハイブリッド軽量蛍光灯」として、点灯可能となった現在、脈直流でしか点灯出来ない３２Ｗ．型蛍光管には、「陽極スモッグ現象の発生」と言う大きな欠点が有り、これを解決するには、交流１００Ｖ．で点灯しなければならない。
【課題を解決するための手段】
【０００４】  「特開２００６−１７３０７６」の「図４」では３００Ｖ．超の高電圧を「点弧誘引電極」に印加するが、本案は電源側から整流ダイオード（Ｄ）と少容量コンデンサーを直列にした極めて簡単なユニット（１０）に交流電圧を加えることにより、１３０Ｖ．程度の直流蓄電電圧を得て、これを点灯促進用の「環」（６）及び「輪環」（７）に印加するものである。
なお先願事項の通り、２０Ｗ．型以下の短小蛍光管に対しては、管端の何れかの接続ピンより蛍光管上に設けた「環」に交流電圧を印加するたけで「点灯促進効果」が有効であることが既に確認されており、更に３０Ｗ．型蛍光管と、３２Ｗ．型管を脈直流で点灯する場合は、「環」の両隣りの対照の位置に、リード線を利用して「輪環」を形成することにより、「環」の機能が補佐出来ることも確認されている。
又、４０Ｗ．型蛍光管は省エネ上、２００Ｖ．系で点灯すべきであると考える。
３２Ｗ．型蛍光管を脈直流でなく、交流１００Ｖ．で点灯する時には、蛍光管の一端の一の接続ピン（１１）が、リード線（１７）によって「輪環」（７）と電気的に接続されている場合は、これを切断する必要がある。又、点灯管（３）が必要となるが、現行の、「ＦＧ５Ｐ」よりも、少しだけ「ＦＧ１Ｅ」側へ下方修正した物でなくてはならない。但し、入手困難につき「ＦＧ５Ｐ」を使い古して真黒になり、少し劣化した物を用いた。
【考案を実施するための最良の形態】
【０００５】  本案の灯具は極めて簡単で、原則として蛍光管に直列に所定の出力容量の白熱灯を取り付けて入力制限手段とし、並列に所定の規格の点灯管を取り付けて点弧（初期放電）させるだけであるが、例外として、３２Ｗ．型「点灯促進環付蛍光管」を用いる灯具に於いては、点弧から点灯に至る過程の確実性を増すため、蛍光管の一端の一接続ピンから「輪環」を経由し「環」への、交流電圧を印加する３０Ｗ．型管以下に適用する方法に代え、ユニット（１０）を設け、リード線（１７）及び接続ジャック（Ｊ）を経由し、蛍光管の「環」及び「輪環」に約１３０Ｖ．の直流蓄電電圧を印加する。更に、主回路には始動時の突入電流による管端の「黒ずみ発生防止」と、点灯への円滑な移行を促す為、サーミスタ（Ｔ）を挿入した。「図１」参照。
【実施例】
【０００６】  「図１」に、ＦＣＬ３２型「点灯促進環付蛍光管」に用いた灯具を示した。
要目諸元は下記の通り。銘板；「ハイブリッド軽量蛍光灯」
仕様：蛍光管（ＦＣＬ３２）、点灯管（ＦＧ５Ｐ）、入力制限手段；クリプトン球（１００Ｖ．９５Ｗ．）
性能：入力；３８Ｗ．（１００Ｖ．０．３８Ａ．力率−０．９９）：即時点灯性；可（平均約７秒）
出力；３３Ｗ．（蛍光管２９Ｗ．＋電球４Ｗ．）：照度（１ｍ）；２３０Ｌｘ：総重量；７５０ｇｒ
【考案の効果】
【０００７】  従来不可能と思われていた１００Ｖ．交流電圧での、３２Ｗ．型蛍光管の点灯が可能となった。その上、脈直流給電方式灯具の場合の、最大の難点である「陽極スモッグ現象」とは完全に無縁となった。しかも、回路は益々簡潔となった。
然しながら、脈直流方式の即時点灯性が、条件付きながら、「秀」または「優」であるのに対して本案の場合、今の処５秒以内の「良」に納まり切れず、７秒程度の「可」である。専用の点灯管が開発されれば、「良」以内に改善される。
なお、即時点灯性は、「点灯管」の性能に依存するところ大で、「ＦＧ５Ｐ」型点灯管では作動電圧が少し高過ぎる。本案に適合するには、導通開始電圧９３Ｖ．遮断電圧８８Ｖ．程度が良い。現状は、「ＦＧ５Ｐ，２８．３２」型の特性劣化品を用いている。
【図面の簡単な説明】
【０００８】
【図１】  「ＦＬ３２型点灯促進環付蛍光管用灯具」の説明図兼電気回路図である。
【符号の説明】
【０００９】  ▲１▼蛍光管  ▲２▼白熱灯  ▲３▼点灯管  ▲４▼スイッチ  ▲５▼差し込みプラクグ  ▲６▼環  ▲７▼輪環  ▲８▼蛍光管ホルダー兼用ソケット  ▲９▼点弧誘引電極  ▲１０▼蓄電ユニット  ▲１１▼接続ピン  ▲１２▼絶縁キヤップ  ▲１３▼天板兼反射板（１ｔＡＬＰ）  ▲１６▼２芯被覆線  ▲１７▼単芯リード線  ▲２０▼傘（シェード）
【００１０】Ｃ；フイルムコンデンサー（０．４７〜０．６８μＦ，２５０Ｖ．）  Ｐ；接続ポイント
Ｄ；整流゛ダイオード（２Ａ．２００Ｖ．以上）  Ｊ；ジヤック（バネ挾式接続部品）
Ｔ；サーミスタ（冷態時  １０オーム⇔温態時  ０オーム）
【図１】
0003136479.tif 000003
【手続補正書】
【提出日】平成19年7月9日(2007.7.9)
【手続補正１】
【補正対象書類名】実用新案登録請求の範囲
【補正対象項目名】全文
【補正方法】変更
【補正の内容】
【実用新案登録請求の範囲】
【請求項１】
点灯管を並列にした、点灯促進用の環を有する蛍光管に、直列に入力制限用白熱灯を設けて点灯させる灯具に於いて、灯具に並列に、ダイオート（Ｄ）とコンデンサー（Ｃ）を直列にした蓄電ユニット（１０）を設け、その出力点（Ｐ）に接続されたリード線（１７）の先端に設けたバネ挾式ジャック（Ｊ）によって、蛍光管の点灯促進用の環に接続して給電し、または容易に取外し可能にしたことを特徴とする軽量蛍光灯具。